(57)【特許請求の範囲】
【請求項１】
通信手段により接続された電圧調整回路を用いて、系統電圧の調整を行う電圧調整システムであって、
発・変電所における電圧変動の制御に際して、通信手段により電圧変動の制御情報を取得する電圧変動情報取得手段と、
前記電圧変動の制御情報を取得した発・変電所の下位に位置する変電所の電圧調整回路に、あらかじめタップの動作時間を短縮する短縮信号を送信する短縮信号送信手段とを備え、
前記短縮信号により短縮される動作時間は、上位に位置する発・変電所において電圧変動の制御が完了する時間よりも短く設定されて、前記下位に位置する変電所のタップを変更する制御の完了後に、上位に位置する発・変電所において電圧変動の制御が完了することを特徴とする電圧調整システム。
【請求項２】
前記短縮信号送信手段により送信される短縮信号には、電圧調整回路の不感帯の範囲を変更する信号を含み、
前記発・変電所の下位に位置する変電所における電圧調整回路の電圧が、前記短縮信号により変更された不感帯の範囲であるか否かを判定する電圧判定手段を備えることを特徴とする請求項１記載の電圧調整システム。
【請求項３】
前記発・変電所において電圧変動を発生させる機器の動作があった場合に、通信手段により機器の動作情報を取得する機器動作情報取得手段を備え、
前記発・変電所における電圧変動情報には、前記機器動作情報を含むことを特徴とする請求項１又は２記載の電圧調整システム。
【請求項４】
前記上位の発・変電所における電圧変動情報には、時期により目標電圧を変更する制御情報を含むことを特徴とする請求項１乃至３のいずれか一に記載の電圧調整システム。
【請求項５】
前記機器動作情報には、コンデンサ、シャントリアクトルを含む調相設備の投入・開放の信号を含むことを特徴とする請求項１乃至４のいずれか一に記載の電圧調整システム。
【請求項６】
電圧調整回路を用いて系統電圧の調整を行う電圧調整方法であって、
上位の発・変電所における電圧変動の制御に際して、下位に位置する変電所における電圧調整回路の動作時間を、上位に位置する発・変電所において電圧変動の制御が完了する時間よりも短い時間に短縮するとともに、電圧調整回路の不感帯の範囲を変更するステップと、
前記発・変電所の下位に位置する変電所における電圧調整回路の電圧が、変更された不感帯の範囲であるか否かを判定するステップと、
前記変更された不感帯の範囲ではないと判定された場合に、前記発・変電所の下位に位置する変電所における電圧調整回路のタップを変更する制御を行うステップと、
前記下位に位置する変電所においてタップを変更する制御の完了後に、上位の発・変電所において電圧変動の制御を完了させるステップと、
を備えることを特徴とする電圧調整方法。
【発明の詳細な説明】
【技術分野】
【０００１】
電力系統において、上位の発・変電所等に電圧変動が発生した場合に、あらかじめ下位の変電所が備える電圧調整回路のタップを上下させることで、タップの動作回数の増加を抑制し、電気品質を向上させる技術に関する。
【背景技術】
【０００２】
電力系統では、ピーク時とオフピーク時における目標電圧を異なるものとするため、所定の時刻において目標電圧値の切り替えが行われている（図２０）。
【０００３】
従来においては、電圧調整継電器（９０Ｒｙ）にプログラムコントローラ（１０Ｔ）を組み合わせて、目標電圧をプログラムコントローラ（１０Ｔ）に設定されたパターンにより変更して、目標電圧を中心に電圧調整継電器の不感帯内に入るよう、動作時間を条件として電圧を適正調整していた。
【０００４】
しかし、電圧調整継電器（９０Ｒｙ）とプログラムコントローラ（１０Ｔ）の組合せによる電圧調整では、電圧調整継電器（９０Ｒｙ）の動作時限により、電圧の立ち上がり時や立ち下り時に迅速な電圧調整ができず、下位の変電所等において無駄なタップの切り替えが行われるという問題があった。
【０００５】
そのため、ファジィ推論を用いて電圧調整継電器の動作判定レベルを修正することで、下位変電所における二次側電圧の変動の軽減とタップ切り替え回数の減少を図る電圧調整装置の技術等が提案されている。（例えば、特許文献１を参照）。
【０００６】
さらに、シャントリアクトル（ＳｈＲ）、コンデンサ（ＳＣ）等の調相設備がプログラム方式により投入・開放された場合において、電圧が変動して電圧調整継電器（９０Ｒｙ）の不感帯を逸脱し、電圧値を不感帯内に調整するために長時間を要するという問題も生じていた。
【０００７】
そのため、調相設備の調相操作前に、電圧調整リレーにより調相操作後の母線電圧を予測し、予測結果が不感帯を逸脱しているときには、タップ切り替えにより電圧を不感帯内に調整した後に調相可信号を出力する変電所における電圧調整方法に関する技術等が提案されている。（例えば、特許文献２を参照）。
【特許文献１】特開平１１−２３１９４９号公報
【特許文献２】特開平９−２８０３７号公報
【発明の開示】
【発明が解決しようとする課題】
【０００８】
上述の通り、電圧調整継電器（９０Ｒｙ）とプログラムコントローラ（１０Ｔ）の組合せによる電圧調整では、電圧調整継電器（９０Ｒｙ）の動作時限により、電圧の立ち上がり時や立ち下り時に迅速な電圧調整ができず、下位の変電所等において無駄なタップの切り替えが行われるという問題があった。
【０００９】
また、コンデンサ（ＳＣ）、シャントリアクトル（ＳｈＲ）の投入・開放時において、目標電圧から大幅に逸脱することで、電気品質を低下させるおそれが生じるという問題があった。
【００１０】
さらに、不感帯を縮小し、動作時間を短縮することで、電気品質を向上させることができるが、その場合にはタップの動作回数が増加し、負荷時タップ切換機の寿命が短くなるという問題があった。
【００１１】
本発明はかかる事情に鑑みてなされたものであり、電圧調整継電器（９０Ｒｙ）の動作要素である不感帯と動作時間を、機器の制御に必要な時間帯に短縮することで、タップの動作回数を増やすことなく、すばやい電圧制御を行うことができる電圧調整システムを提供することを目的とする。
【課題を解決するための手段】
【００１２】
本発明の電圧調整システムは、通信手段により接続された電圧調整回路を用いて、系統電圧の調整を行う電圧調整システムであって、発・変電所における電圧変動の制御に際して、通信手段により電圧変動の制御情報を取得する電圧変動情報取得手段と、前記電圧変動の制御情報を取得した発・変電所の下位に位置する変電所の電圧調整回路に、あらかじめタップの動作時間を短縮する短縮信号を送信する短縮信号送信手段とを備え、前記短縮信号により短縮される動作時間は、上位に位置する発・変電所において電圧変動の制御が完了する時間よりも短く設定されて、前記下位に位置する変電所のタップを変更する制御の完了後に、上位に位置する発・変電所において電圧変動の制御が完了することをすることを特徴とする。
【００１３】
具体的には、電力系統に広域電圧制御時間変更装置等を設けて系統電圧の調整を行う。
ここで「通信手段」とは、専用の通信回線を介した遠隔監視制御装置（ＴＣ）等のほか、インターネットなどの汎用の通信ネットワークを介した伝送装置なども含む。「電圧調整回路」とは、電圧調整器，電圧調整継電器等において電圧の調整を行う回路を意味する。「電圧変動情報」とは、たとえば遠隔監視制御装置（ＴＣ）等を用いた通信手段により取得した発・変電所の電圧変動を発生させる制御の情報を意味する。また「短縮信号」とは、本来、所定の時間を要する電圧調整回路のタップ動作時間を短縮させる制御信号を意味する。なお「短縮信号」には、上げの動作時間を短縮するものと、下げの動作時間を短縮するものとがある。
【００１４】
「発・変電所の下位に位置する変電所」とは、電力系統において基準とする発・変電所の二次側に位置する変電所を意味し、制御所等が備える監視制御システム等を参照することで抽出が可能となる。
【００１５】
本発明によれば、上位の発・変電所において電圧変動があった場合に、下位の変電所のタップを迅速に変更することができるので、上位の発・変電所の電圧変動の実行に対しても、下位の変電所におけるタップ動作時間の遅れを原因とした許容値の逸脱が発生しないという効果を奏する。
【００１６】
また、本発明の電圧調整システムにおいて、前記短縮信号送信手段により送信される短縮信号には、電圧調整回路の不感帯の範囲を変更する信号を含み、前記発・変電所の下位に位置する変電所における電圧調整回路の電圧が、前記短縮信号により変更された不感帯の範囲であるか否かを判定する電圧判定手段を備えることを特徴とする。
【００１７】
ここで「電圧調整回路の不感帯の範囲を変更する」とは、たとえば所定の不感帯の帯域を縮小させたり、上下方にシフトさせたりことで、タップが早く動くように制御を行うことを意味する。
【００１８】
本発明によれば、上位の発・変電所における電圧変動により動作するタップを、事前に動かすことで、タップの動作回数を増やすことなく、電圧制御をすばやく行うことができるという効果を奏する。
【００１９】
さらに、本発明の電圧調整システムは、前記発・変電所において電圧変動を発生させる機器の動作があった場合に、通信手段により機器の動作情報を取得する機器動作情報取得手段を備え、前記発・変電所における電圧変動情報には、前記機器動作情報を含むことを特徴とする。
【００２０】
本発明によれば、上位の発・変電所において、電圧変動自体を目的としない調相設備の投入・開放操作等があった場合に発生する電圧の変動に対しても、下位の変電所において迅速なタップの変更を行うことができるので、タップの動作回数を減少させることができるという効果を奏する。
【００２１】
また、本発明の電圧調整システムにおいて、前記上位の発・変電所における電圧変動情報には、時期により目標電圧を変更する制御情報を含むことを特徴とする。
【００２２】
ここで電力系統の「目標電圧」は、たとえば一日においても所定の時間に変更がなされ、一日における時間の到来はプログラムコントローラ等により監視制御が行われる。電圧変動情報取得手段により目標電圧の変更の情報を取得すると、短縮信号送信手段により短縮信号が送信されて、タップの不感帯や動作時間が変更される。
【００２３】
本発明によれば、時期の到来により行われる目標電圧の変更において、安全な電圧制御を可能とするという効果を奏する。
【００２４】
さらに、本発明の電圧調整システムにおいて、前記機器動作情報には、コンデンサ、シャントリアクトルを含む調相設備の投入・開放の信号を含むことを特徴とする。
【００２５】
また、本発明の電圧調整方法は、電圧調整回路を用いて系統電圧の調整を行う電圧調整方法であって、上位の発・変電所における電圧変動の制御に際して、下位に位置する変電所における電圧調整回路の動作時間を、上位に位置する発・変電所において電圧変動の制御が完了する時間よりも短い時間に短縮するとともに、電圧調整回路の不感帯の範囲を変更するステップと、前記発・変電所の下位に位置する変電所における電圧調整回路の電圧が、変更された不感帯の範囲であるか否かを判定するステップと、前記変更された不感帯の範囲ではないと判定された場合に、前記発・変電所の下位に位置する変電所における電圧調整回路のタップを変更する制御を行うステップと、前記下位に位置する変電所においてタップを変更する制御の完了後に、上位の発・変電所において電圧変動の制御を完了させるステップと、を備えることを特徴とする。
【００２６】
本発明によれば、広域電圧制御時間変更装置等により系統電圧の変動を監視し、急激な系統電圧低下に対して上位系優先により下位系統電圧を制御することで、系統電圧崩壊を回避することができるという効果を奏する。
【発明の効果】
【００２７】
本発明の電圧調整システムによれば、電圧調整継電器（９０Ｒｙ）の不感帯を縮小し、タップの動作時間を短縮することで、タップの動作回数を増加させることなく、電圧品質を上げることができる。
【００２８】
また、調相設備の運用により電圧が変動し、電圧調整継電器（９０Ｒｙ）における大幅な電圧はずれを回避することができる。
【００２９】
さらに、迅速な系統電圧の適正化により、揚水発電所のポンプ運転やコンデンサ、シャントリアクトル等の上位系の電圧変動に対して、連系のトランスへの迅速なタップ変更で下位系の影響が極力小さくなるため、各所のタップ動作回数の低減を可能とする。
【００３０】
これにより、あらかじめ寿命回数が定められている負荷時タップ切換機への負担が軽減されるため、負荷時タップ切換機の点検周期や寿命を長くすることができる。
【００３１】
また、本発明の電圧調整システムは、分散型の電圧制御システムにおいても、複雑な計算を要することなく広域的な電圧制御を可能とする。すなわち、現行システムの計算機にソフトウエアを組み込み、一部の機器に改造を行うだけで、容易に本発明の電圧調整システムを導入することができる。これにより、安価でありながら良品質な電圧管理が可能となるため、経済的なメリットも大きい。
【００３２】
さらに、現行の９０Ｒｙを活用するため、設定された電気技術基準の範囲内での制御が可能であるため、特別な手当てを要することなく過制御を回避することができるという効果も奏する。
【発明を実施するための最良の形態】
【００３３】
以下、本発明の電圧調整システム１にかかる第１の実施形態について説明する。図１は本実施形態の概略を示した図である。
【００３４】
電力系統において配電線６の電圧調整等を行う変電所Ａ５１は、操作機構部５１５、電圧調整継電器５１１、プログラムコントローラ（１０Ｔ）５１０、ワンショット回路５１２等を備える。制御所の広域電圧制御時間変更装置８２は、図示しない制御所ＭＰ８１から遠隔監視制御装置（ＴＣ）Ａ３１を介して、変電所Ａ５１等の負荷時タップ切換機（ＬＲ）５１６の動作制御を行う。
【００３５】
具体的には、変電所Ａ５１は電圧調整継電器５１１により一次側の電圧を測定し、あらかじめ設定した不感帯や動作時間に基づき、トランスのタップを変更することで適切な電圧に調整して二次側に送り出す。
【００３６】
ここで、電圧調整は所定の目標電圧に基づいて行われるが、目標電圧の値はピーク時・オフピーク時により異なり（図２０）、これらの目標電圧値の変更は、プログラムコントローラ（１０Ｔ）５１０により通常モード（Ｍ）で制御される。
【００３７】
本実施形態では、通常モードにおいて６０秒を要するタップ変更の動作を、広域電圧制御時間変更装置８２から遠隔監視制御装置（ＴＣ）Ａ３１等を介して短縮信号を送信することで、ワンショット回路５１２がタップ変更の動作を１秒とする制御を行い（短縮モード）、不感帯についても、短縮信号によりその帯域を縮小する（短縮信号送信手段１２５）。
【００３８】
具体的には、上位系の変電所において目標電圧値の変更等によりタップ変更が行われる場合に、下位系の変電所では電圧の変動に対し、通常はプログラムコントローラ（１０Ｔ）により通常モード（Ｍ）でタップ制御がなされる。しかし、系統電圧の監視を行う広域電圧制御時間変更装置８２において、急激な系統電圧変動に対して崩壊を回避する必要があると判定した場合には、あらかじめ遠隔監視制御装置（ＴＣ）等を介して下位系の変電所のワンショット回路に短縮信号を送信することで、電圧変動が発生する前にタップ変更の制御を行う。これにより、上位系の変電所における電圧変動に対し、系統電圧の崩壊を回避することができる。
【００３９】
これは、発電機系統においてＴｒタップを下げると低圧側の電圧だけ下がるのでなく、高圧側の電圧が上がり、また電圧低下による負荷減少の効果による。
なお、短縮制御モードには、タップの上げ動作の時間を１秒に制御するモード（Ｈ−１）と、タップの下げ動作の時間を１秒に制御するモード（Ｌ−１）の２種類がある。
【００４０】
タップ変更の動作が通常において６０秒を要することとされるのは、安定した状態での系統電圧の測定による不要制御の排除等を目的とするが、本実施形態では所定の条件下で短縮信号によりタップ変更の動作時間を１秒に短縮する。
【００４１】
さらに、制御所の広域電圧制御時間変更装置８２は、変電所Ａ５１に付設するシャントリアクトル（ＳｈＲ）５１３、コンデンサ（ＳＣ）５１４等の調相設備において投入・開放等の制御がなされた場合に、遠隔監視制御装置（ＴＣ）Ａ３１等を介して調相設備の制御情報（イベント信号）を受信し（機器動作情報取得手段１２４）、同様にワンショット回路５１２が電圧調整継電器５１１に短縮信号を送信し（短縮信号送信手段１２５）、タップ変更の短縮制御を行う。
【００４２】
なお、図１においては、現地のプログラムコントローラ（１０Ｔ）５１０等が電圧調整継電器５１２の制御を行い、制御所の広域電圧制御時間変更装置８２が遠隔監視制御装置（ＴＣ）Ａ３１等を経由して、ワンショット回路５１２の制御を行うこととするが、設定により、制御所の広域電圧制御時間変更装置８２が、すべての制御について、遠隔監視制御装置（ＴＣ）Ａ３１を介してワンショット回路５１２を制御するように設定することもできる。
【００４３】
図２では、目標電圧に変更があった場合の電圧値の変動をグラフに示す。
図のＡ部に示す従前のシステムでは、プログラムコントローラ（１０Ｔ）５１０により目標電圧を変更した場合に、下位の変電所Ｂ５２，Ｃ５３等では、電圧調整継電器５２１，５３１等における動作時間の整定が約６０秒あるため、必ず制御の遅れが生じ、電圧値の実績との間に遅れが発生する。そのため、電圧調整継電器５２１，５３１等において電圧エラーとなるおそれがある。
【００４４】
一方、Ｂ部に示す本実施形態の電圧調整システム１では、ワンショット回路５２２，５３２等により短縮信号（２秒）を送信することで（短縮信号送信手段１２５）、電圧調整継電器５１１の動作時間を６０秒から１秒に短縮することができる。これにより制御の遅れが解消し、電圧値の目標と実績との間にずれがなくなるため、電圧調整継電器５２１，５３１等における電圧エラーを回避することができる。
【００４５】
図３は、上位の発・変電所における調相設備に投入・開放等があった場合の下位の変電所における電圧値の変化を示すグラフである。
【００４６】
図のＡ部に示す従前のシステムでは、コンデンサ（ＳＣ）５１４が投入された場合、下位の変電所では瞬時に電圧が上昇して電圧エラーが発生している。しかし、Ｂ部に示す本実施形態の電圧調整システム１では、コンデンサ（ＳＣ）５１４の投入までに、後述するワンショット回路５２２，５３２等により下げ短縮信号が送信されて、縮小された不感帯からはずれた電圧値を検出して、あらかじめタップが下げ変動するため（短縮信号送信手段１２５、電圧判定手段１２６）、コンデンサ（ＳＣ）５１４が投入されても上限電圧エラーとはならない。
【００４７】
すなわち、不感帯を縮小することにより、本来はコンデンサ（ＳＣ）５１４の投入後に動くタップを、早く動くように制御することができる。
【００４８】
その結果、調相設備が投入・開放の場合に、その投入・開放前の電圧が投入後も適正内になるように短縮信号を送信して、強制的に適正電圧（調相設備が入り切りでも問題のない電圧）にすることで、調相設備が投入・開放されても許容値を逸脱しない制御が可能となる。
【００４９】
なお、図３の例では、不感帯を１．５％から１．０％に、動作時間を６０秒から１秒にしている。短縮信号については１０秒程度、タップ変動幅は６０Ｖから不感帯である１４０Ｖの間とし、コンデンサ（ＳＣ）５１４の投入による電圧変動は５０Ｖとしている。
【００５０】
また、ワンショット回路５２２，５３２等においては、あらかじめイベントによる短縮制御パターンを現地で組み込んでおき、短縮信号制御を遠隔監視制御装置（ＴＣ）Ｂ３２，Ｃ３３等の選択信号のみとすることで、早い制御を可能とすることができる。
【００５１】
図４は、本実施形態の電圧調整システム１を電力系統に取り入れた場合の系統の構成例を示す図である。本実施形態では、タップの回数を増やさずに電圧品質を上げることができる。
【００５２】
本例では、系統の変電所Ａ５１，Ｂ５２，Ｃ５３等に付設する遠隔監視制御装置（ＴＣ）Ａ３１，Ｂ３２，Ｃ３３等からのイベント信号を、制御所である制御所ＭＰ８１が受信して広域電圧制御時間変更装置８２に伝送する。また、制御所ＭＰ８１は、広域電圧制御時間変更装置８２からの信号に基づいて各電気所へ短縮信号を送出する。
【００５３】
ここで、遠隔監視制御装置（ＴＣ）Ａ３１，Ｂ３２，Ｃ３３等からのイベント信号とは、具体的には変電所Ａ５１におけるシャントリアクトル（ＳｈＲ）５１３の入り切り信号、変電所Ａ５１の電圧調整継電器５１１におけるタップ動作、発電所Ａ７１等における揚水や進相・中力・低力、上位系事故の遮断器（ＣＢ）の遮断、需要家ＳＣ（コンデンサ）・電気炉の遮断器（ＣＢ）の入り切り信号等を意味する。
【００５４】
制御所のＭＰ８１等からの系統電圧の変動等の情報や（電圧変動情報取得手段１２３）、遠隔監視制御装置（ＴＣ）Ａ３１，Ｂ３２，Ｃ３３等からのイベント信号を受けて（機器動作情報取得手段１２４）、広域電圧制御時間変更装置８２は該当する電圧の監視・制御を行う遠隔監視制御装置（ＴＣ）を介してワンショット回路に短縮信号を送信し（短縮信号送信手段１２５）、電圧調整継電器の短縮制御を行う。
【００５５】
ここで、ワンショット回路とは、状態変化に対してＬＲのタップ切り替え時間や、揚水出力の変動、進相変化時間等の、イベントが完了するまでの時間だけ出力する回路を意味する。
【００５６】
なお、ワンショット回路５１２，５２２，５３２等には、あらかじめイベントによる短縮制御パターンが組み込まれており、本実施形態では、短縮モードにおける上げ動作（Ｈ−１）では、不感帯１．０％、上げ動作するまでの時間は１秒となっている。短縮モードにおける下げ動作では、不感帯１．０％、下げ動作するまでの時間は１秒となっている。
【００５７】
また、本例においては、電圧調整継電器（９０Ｒｙ）５１１，５２１，５３１等が備える電圧調整回路は基準電圧１１０ｋＶ（６．６０ｋＶ）であり、通常モード（Ｍ）では不感帯１．５％、上下動作するまでの時間は約６０秒となっている。
【００５８】
図５は、上記の系統構成図に示す例の基本構成を示した図である。
制御所ＭＰ８１は、広域電圧制御時間変更装置８２からの各電気所の電圧制御等の情報を、短縮信号として受信する。
【００５９】
また、広域電圧制御時間変更装置８２は、制御所ＭＰ８１を経由して、各遠隔監視制御装置（ＴＣ）Ａ３１，Ｂ３２，Ｃ３３等が監視制御を行う機器から取得したイベント信号を受信する。受信したイベント信号は、電圧変動があると思われる系統電気所のみを制御対象とし、各遠隔監視制御装置（ＴＣ）を介して、短縮信号を上位系より順次送出する。これらの短縮信号は、早い制御を可能とするため選択信号のみにより行われる。
【００６０】
なお、電圧変動があると思われる下位の系統電気所の選択や、短縮信号を送出する順序等については、たとえば制御所等が備える監視制御システム等を参照することにより可能となる。
【００６１】
制御所ＭＰ８１を介して広域電圧制御時間変更装置８２から短縮信号を受信した各遠隔監視制御装置（ＴＣ）は、ワンショット回路に信号を送り、電圧調整回路を制御する。電圧調整回路は２段切り替えとなっており、短縮モード（Ｈ・Ｌ）の場合に早くタップ上げ、または、早くタップ下げを行う。
【００６２】
なお、これらの制御は、広域電圧制御時間変更装置８２または制御所ＭＰ８１が備える計算機のソフトウエアにより実現することもできる。
【００６３】
図６は、本実施形態の電圧調整システム１の機能ブロック図である。本例では広域電圧制御時間変更装置８２の機能により、各遠隔監視制御装置（ＴＣ）の制御を行うこととするが、上記の通り、制御所ＭＰ８１等が備える計算機により実現することもできる。
【００６４】
本実施形態の電圧調整システム１は、あらかじめ設定されたプログラムにより電力系統の電圧調整を行う広域電圧制御時間変更装置８２と、制御所ＭＰ８１経由で通信ネットワーク２を介して接続する遠隔監視制御装置（ＴＣ）Ａ３１，Ｂ３２，Ｃ３３、遠隔監視制御装置（ＴＣ）Ａ３１等から制御ケーブル４を介して監視制御を行う変電所Ａ５１，Ｂ５２，Ｃ５３、配電線６等により構成される。
【００６５】
電圧調整システム１を構成する広域電圧制御時間変更装置８２は、通信ネットワーク２と接続する送受信部１１、電圧調整に関する演算処理等を行う演算処理部１２、電圧調整に必要なデータを保持する記憶部１３、データを入力するキーボード等の入力部１４およびデータを出力する表示装置あるいはプリンタ等の出力部１５から構成されている。
【００６６】
本実施形態の広域電圧制御時間変更装置８２の送受信部１１は、制御所ＭＰ８１経由で通信回線２を介して、遠隔監視制御装置（ＴＣ）Ａ３１，Ｂ３２，Ｃ３３等と接続する。
【００６７】
中央演算処理部１２は、送受信部１１との間でデータの受け渡しを行う送受信処理手段１２１、入力部１４または出力部１５とデータの受け渡しを行う入出力処理手段１２２、発・変電所における電圧変動の情報を取得する電圧変動情報取得手段１２３、遠隔監視制御装置（ＴＣ）Ａ３１等が監視制御を行う機器の動作情報を取得する機器動作情報取得手段１２４、タップの変更に際して動作時間の変更が必要な場合に短縮信号を送信する短縮信号送信手段１２５、変更された不感帯に基づきタップ電圧を判定し、タップ変更後の電圧が適正かを判定する電圧判定手段１２６等を備える。
【００６８】
広域電圧制御時間変更装置８２の記憶部１３は、系統電圧変動を規定するプログラム情報等を保持する変動プログラムテーブル１３１、発・変電所の調相機器等において発生したイベントを規定するイベントテーブル１３２、管理テーブル１３３等により構成されている。
【００６９】
変動プログラムテーブル１３１では、系統目標電圧の変更の時刻および値や、定期的に発生する電圧変動および無効電力変動の情報等を保持する（図７）。本実施形態の電圧調整システム１は、広域電圧制御時間変更装置８２の変動プログラムテーブル１３１に規定された系統目標電圧の変更の時刻および値等に基づき、電圧の変動を監視し、急激な系統電圧変動に対して上位系優先による系統電圧制御をすることで系統電圧崩壊を回避する。たとえば、上位系の電圧が低い場合、下位系の電圧を下げるよう短縮信号を送り出し、タップ下げの制御を行うことで、上位系の電圧が上がるため系統電圧崩壊を回避できる。また、定期的に発生する電圧変動についても、あらかじめ予想される時間に対応して迅速なタップ動作となるように短縮信号を送出することで、電圧エラーの発生を回避することができる。
【００７０】
具体的には、系統ごとに異なる目標電圧変更の時間や、目標電圧の値、幹線無効電力の値、変動幅等の情報を保持し、定められた時間の到来により、該当する信号パターンに基づいて短縮信号を送信する。
【００７１】
さらに、短縮信号を送信する手順についても規定される。図７の例では、系統電圧が急激に変動または目標をはずれる場合に、各ＬＲへ短縮（上げ・下げ）信号を送出することとし、短縮信号を上位系より順番に送信することで、系統電圧の変動に対応することとしている。また、かかる制御によっても系統電圧が回復しない場合には、順次、下位のトランス（ＬＲ）に対して短縮下げ信号を送出することで、系統電圧の崩壊を回避することとしている。
【００７２】
イベントテーブル１３２では、発・変電所の電圧調整継電器におけるタップ操作や、シャントリアクトル（ＳｈＲ）、コンデンサ（ＳＣ）等の調相設備の投入・開放動作等があった場合に遠隔監視制御装置（ＴＣ）Ａ３１等から受信したイベント信号に対して、下位の変電所等に送信する短縮信号を示す制御コード等を規定する（図８）。
【００７３】
具体的には、受信したイベント信号ごとに制御コード、送信を継続する時間が規定され、該当する信号パターンに基づいて短縮信号が送信される。
【００７４】
図８の例では、たとえば「○○変電所ＳＣ投入」とするイベント信号を受信した場合には、該当する制御コード「Ｌ−２−１」の制御内容である「△△Ｔr下げ短縮信号」を、１０秒間継続する。手順については、上位系より順番に短縮信号を送出することが規定されている。
【００７５】
なお、短縮信号を１０秒間継続することとしているのは、変電所においてコンデンサ（ＳＣ）を投入するのには一定の時間を要し、その間に下位の変電所におけるタップ変更が安全に行われるようにするためである。かかる場合において、異なるタップ変更の制御は受け付けられない。
【００７６】
管理テーブル１３３では、遠隔監視制御装置（ＴＣ）Ａ３１等から受信したイベント信号の履歴を管理するとともに、イベント信号の受信や目標電圧の変更時間の到来等に対応して下位系の変電所に送信した短縮信号の履歴等を管理する（図９）。
【００７７】
さらに、管理テーブル１３３では、下位系の変電所への短縮信号の送信により行う短縮制御の結果についても管理する。具体的には、短縮信号送信手段１２５が遠隔監視制御装置（ＴＣ）Ａ３１等に短縮信号を送信した後に、電圧判定手段１２６が実行し、短縮制御が行われた遠隔監視制御装置（ＴＣ）Ａ３１等における電圧の変動を監視する。監視の結果、短縮制御により上下限エラーを発生させることなくイベント等が完了した場合には、結果の欄に「正常」と出力される。一方、上下限エラーが発生した場合には、結果の欄に「制御不能」と出力される。
【００７８】
なお、本実施形態の電圧判定手段１２６は、「制御不能」の出力を受けて、該当する電圧調整継電器Ａ５１１等に、再度、短縮信号を送信するように設定することもできる（短縮信号送信手段１２５）。
【００７９】
次に、遠隔監視制御装置（ＴＣ）Ａ３１等が制御ケーブル４を介して監視制御を行う変電所Ａ５１等の構成について説明する。
【００８０】
変電所Ａ５１は、電力系統を構成する配電線６の一次側に位置し、電圧調整を行う電圧調整継電器５１１、電圧調整継電器５１１におけるタップ変更の動作時間の短縮や不感帯の縮小を行うワンショット回路５１２、電圧調整継電器５１１の目標電圧を時間帯により変更を行うプログラムコントローラ（１０Ｔ）５１０等を備える。
【００８１】
また、変電所Ａ５１の二次側に位置する変電所Ｂ５２，Ｃ５３についても、電圧調整を行う電圧調整継電器５２１，５３１、タップ変更の動作時間の短縮や不感帯の縮小を行うワンショット回路５２２，５３２、電圧調整継電器５２１，５３１の目標電圧を時間帯により変更を行うプログラムコントローラ（１０Ｔ）５２０，５３０等を備える。
【００８２】
図１０は、従来のシステムにおいて、シャントリアクトル（ＳｈＲ）５１３の入り操作を行った場合の電圧制御の推移を示した図である。
【００８３】
はじめに、シャントリアクトル（ＳｈＲ）５１３の入り操作を行うと下位の変電所Ａ５１，Ｂ５２，Ｃ５３等において電圧の低下が発生する。変電所Ｃ５３では、電圧が低めではずれたため、タップの上げ制御が行われる。その後、変電所Ａ５１において電圧が低いためにタップの上げ制御が行われ、前項タップ上げにより下位系変電所Ｂ５２とＣ５３においても電圧が上昇する。これにより変電所Ｃ５３では、電圧変動が大きくなる。
【００８４】
一方、図１１には、本実施形態による短縮制御が行われる場合のフローを示す。
具体的には、シャントリアクトル（ＳｈＲ）５１３の入り操作の前に、各変電所の電圧調整回路に上げ短縮信号が送信される（短縮信号送信手段１２５）。これにより変電所Ｃ５３において、縮小された不感帯より低い電圧であったため、あらかじめタップの上げ操作が行われる。あがった電圧については、電圧判定手段１２６により確認記録される。
【００８５】
その後、シャントリアクトル（ＳｈＲ）５１３の入り操作により電圧が低下し、変電所Ａ５３においてタップの下げ制御が行われるが、変電所Ｃ５３では事前にタップの上げ操作が行われているので、電圧エラーの発生を回避することができ、電圧の変動を小さくすることができる。このとき電圧エラーが電圧判定手段１２６により検出された場合は、制御不能として出力される。
【００８６】
なお、図１１の例においては、シャントリアクトル（ＳｈＲ）５１３の入り操作の後にも各変電所の電圧調整回路に上げ短縮信号を送信することとし、電圧の上下限エラーが発生しているような場合に、迅速に電圧の調整を行うこととしている。詳細については後述の第２の実施形態で示す。
【００８７】
［上位系優先の基本電圧制御］
図１２では、本実施形態における上位系優先の電圧短縮制御の基本動作を説明する。
本実施形態では、変動プログラムテーブル１３１に規定された系統目標電圧の変更の時刻および値等に基づき電圧の変動を監視し、急激な系統電圧変動に対して変動箇所の上位系優先による系統電圧制御をする（Ｓ３０３）。電圧判定手段１２６により、上位系優先による短縮制御が行われた電圧の正常値を監視する。監視の結果、短縮制御により上下限エラーを発生させることなくイベント等が完了した場合には（Ｓ３０４で「ＹＥＳ」）、結果の欄に「正常」と出力される（Ｓ３０５）。一方、上下限エラーが発生した場合には（Ｓ３０４で「ＮＯ」）、結果の欄に「制御不能」と出力され、系統電圧が回復しない場合には（Ｓ３０６）、下位のトランス（ＬＲ）に対して短縮下げ信号を送出することで、系統電圧の崩壊を回避する（Ｓ３０７）。
【００８８】
［系統電圧変動におけるタップ操作に対する予測制御］
図１３では、上位系の変電所Ａ５１において系統電圧変動によるタップの上下操作が行われた場合の動作を説明する。
【００８９】
上位系の変電所Ａ５１でタップの上げ操作が行われた場合には、下位の変電所Ｂ５２、Ｃ５３等において瞬時に電圧が上昇する。そのため、あらかじめ瞬時の電圧上昇に備えて必要な場合にタップの下げ操作を行うことで、電圧エラーを回避することができる。
【００９０】
本実施形態では、制御所の広域電圧制御時間変更装置８２の変動プログラムテーブルが保持する系統目標電圧の変更の時刻および値に基づいて、系統電圧の変動を監視し、上位系である変電所Ａ５１の電圧変動に対して、下位系の変電所に短縮信号を送信することでタップの短縮制御を行う。
【００９１】
はじめに、変電所Ａ５１におけるタップ上げ操作前において（Ｓ１０１）、広域電圧制御時間変更装置８２は、下位系の各変電所に下げ短縮信号の送信を２秒継続する（Ｓ１０２・短縮信号送信手段１２５）。
【００９２】
次に、下位系の変電所の９０Ｒｙにおいて、電圧が目標電圧の許容範囲外か否かの判定を行う（Ｓ１０３・電圧変動情報取得手段１２３）。ここで、許容範囲として判定を行う対象は通常モード（Ｍ）における１．５％の不感帯ではなく、短縮モード（Ｌ−１）における１．０％の不感帯となる。
【００９３】
判定の結果が許容範囲外であった場合（Ｓ１０３において「ＹＥＳ」）には、該当する下位系の変電所においてタップの下げ操作が行われる（Ｓ１０４）。ここで、下げ動作を行うまでの動作時間は通常モード（Ｍ）における６０秒ではなく、短縮モード（Ｌ−１）における１秒となる。
【００９４】
上位系の変電所Ａ５１におけるタップの上げ操作は、下位系の変電所におけるタップの下げ操作の完了後に行われる（Ｓ１０６）。具体的には、下位系の変電所におけるタップの下げ操作は短縮モードにより１秒であるが、上位系の変電所Ａ５１におけるタップの上げ操作は通常の動作時間が必要となるため、上位系の変電所Ａ５１のタップ操作が完了する時点で、すでに下位系の変電所のタップ操作は完了していることになる。
【００９５】
なお、判定の結果が許容範囲であった場合（Ｓ１０３において「ＮＯ」）には、下位系のタップ値を変更することなく（Ｓ１０５）、上位系の変電所Ａ５１におけるタップ値の上げ操作が行われる（Ｓ１０６）。
【００９６】
次に、上位系の変電所Ａ５１でタップの下げ操作が行われた場合には、下位の変電所Ｂ５２、Ｃ５３等において瞬時に電圧が降下する。そのため、あらかじめ瞬時の電圧降下に備えて必要な場合にタップの上げ操作を行うことで、電圧エラーを回避することができる。
【００９７】
なお、変電所Ａ５１におけるタップ下げ操作についても、タップ上げ操作の場合と同様のフローとなり（Ｓ１０７〜Ｓ１１２）、Ｓ１１０において下位変電所のタップ上げ操作が行われ、Ｓ１１２において変電所Ａ５１のタップ下げ操作が行われる。
【００９８】
以上により、変電所Ａ５１のタップ変動による系統電圧変動があっても、上下限をはずれる下位の変電所はなくなる（Ｓ１１３）。
【００９９】
なお、下げの短縮モード（Ｌ−１）においてタップ下げの動作時間は１秒であるが、タップ上げの動作時間については通常モードと同様に６０秒となっている。そのため、１％に縮小された不感帯に対して電圧が高くはずれた場合には、タップの変更が完了するのは６０秒後であり、その間に上位の変電所において電圧の変動が生じているため、結果としてタップの上げ操作は行われない。
【０１００】
［調相設備の操作に対する予測制御］
図１４では、変電所Ａ５１に付設するシャントリアクトル（ＳｈＲ）５１３の遮断操作または投入操作が行われた場合の動作を説明する。
【０１０１】
上位においてシャントリアクトル（ＳｈＲ）５１３の遮断操作が行われた場合には、下位の変電所Ｂ５２，Ｃ５３等において瞬時に電圧の上昇が発生する。そのため、あらかじめ瞬時の電圧上昇に備えて必要な場合にタップの下げ操作を行うことで、電圧エラーを回避することができる。
【０１０２】
ここでは、図１３に示す上位系の変電所におけるタップ操作に対する動作と異なる点についてのみ説明を行う。
【０１０３】
本実施形態では、上位においてシャントリアクトル（ＳｈＲ）５１３等の調相設備に入り切り操作等が行われた場合に、監視制御を行う遠隔監視制御装置（ＴＣ）Ａ３１等からイベント信号が送信される（機器動作情報取得手段１２４）。短縮信号送信手段１２５は、受信したイベント信号と、制御所の広域電圧制御時間変更装置８２のイベントテーブル１３２が規定する制御コード等に基づいて、下位系の変電所に短縮信号を送信することでタップの制御を行う。
【０１０４】
はじめに、シャントリアクトル（ＳｈＲ）５１３の遮断操作前に（Ｓ２０１）、下位系の各変電所に下げ短縮信号を送信する（Ｓ２０２・短縮信号送信手段１２５）。本例においては、短縮信号の送信は２秒継続することとしている。
【０１０５】
その後、上位系の変電所におけるタップ操作に対する動作（図１２）と同様、下位系のタップ制御の判定等が行われ（Ｓ２０２〜２０４）、タップ制御の完了後にシャントリアクトル（ＳｈＲ）５１３が遮断される（Ｓ２０６）。具体的には、下位系の変電所におけるタップの下げ操作は短縮モードにより１秒であるが、シャントリアクトル（ＳｈＲ）５１３の遮断操作は約１０秒後に操作しているため、シャントリアクトル（ＳｈＲ）５１３の遮断操作が完了する時点で、すでに下位系の変電所のタップ操作は完了していることになる。
【０１０６】
なお、シャントリアクトル（ＳｈＲ）５１３を投入する操作についても同様のフローとなり（Ｓ２０７〜Ｓ２１２）、Ｓ２１０において下位変電所のタップ上げ操作が行われた後、Ｓ２１２においてシャントリアクトル（ＳｈＲ）５１３の投入操作が行われる。
【０１０７】
以上により、シャントリアクトル（ＳｈＲ）５１３を遮断する操作または投入する操作があっても、上下限をはずれる下位の変電所はなくなる（Ｓ２１３）。
【０１０８】
なお、シャントリアクトル（ＳｈＲ）５１３ではなく、コンデンサ（ＳＣ）５１４の入り切り操作についても、同様にフローの対象となるが、コンデンサ（ＳＣ）５１４では入りの場合に電圧が上昇し、切りの場合に電圧は低下するので、それぞれの信号の上下は反対となる。
【０１０９】
また、発電所７１等において、遅相である場合に電圧は上昇し、進相である場合に電圧は低下することとして、同様にフローの対象となる。
【０１１０】
以上の通り、本実施形態の電圧調整システム１によれば、電圧調整継電器の動作要素である不感帯を縮小し、タップの動作時間を短縮することで、タップの動作回数を増やすことなく電圧品質を上げることができる。
【０１１１】
［第２の実施形態］
次に、本発明の電圧調整システム１にかかる第２の実施形態について説明する。図１５は、本実施形態の概略を示した図である。
【０１１２】
第１の実施形態では、上位系の変電所でタップ変更が行われた下位系の変電所において、通常は現地のプログラムコントローラ（１０Ｔ）５１０による通常モード（Ｍ）でタップ制御を行い、急激な系統電圧変動に対しては、広域電圧制御時間変更装置８２が下位系の変電所のワンショット回路５１２に短縮信号を送信することで、タップ変更の短縮制御を行うこととするが（図１）、第２の実施形態では、急激な系統電圧変動に対しても、現地のプログラムコントローラ（１０Ｔ）５１０がタップ変更の短縮制御を行う点で異なる（図１６）。
【０１１３】
具体的には、現地のプログラムコントローラ（１０Ｔ）５１０が電圧調整継電器５１１の制御を直接行うのではなく、現地のプログラムコントローラ（１０Ｔ）５１０が所定の時間にワンショット回路５１２に短縮信号を送信して、ワンショット回路５１２が電圧調整継電器５１１の制御を行うこととしている。
【０１１４】
従前より、プログラムコントローラ（１０Ｔ）５１０では、タイマー機能を用いて目標電圧を変更すべくタップの上下制御を行うこととするが、本実施形態では、プログラムコントローラ（１０Ｔ）５１０のタイマーであらかじめ定められたピンの設定により、ワンショット回路５１２に短縮信号を出力することとしている。
【０１１５】
これにより、従前より変電所等に設置されているプログラムコントローラ（１０Ｔ）５１０を活用し、タップの短縮制御を容易に実現することができる。
【０１１６】
また、第１の実施形態では、プログラムコントローラ（１０Ｔ）５１０または遠隔監視制御装置３１からワンショット回路５１１に送信される短縮信号は、イベントテーブル１３２等で定められる時間内、継続して送信されることとしているが、第２の実施形態では、送信された短縮信号の前後にさらに短縮信号を生成して送信する点で異なる。
【０１１７】
ここで、短縮信号が一定の時間継続することとしたのは、シャントリアクトル（ＳｈＲ）５１３，コンデンサ（ＳＣ）５１４等の入り切り操作のイベント等には一定の時間を要し、その間に短縮制御を継続することで、安全にタップ変更の制御を行うことができる。
【０１１８】
本実施形態では、プログラムコントローラ（１０Ｔ）５１０または遠隔監視制御装置３１からワンショット回路５１２に送信される一定の時間の短縮制御信号に対し、ワンショット回路５１２が信号の始めと終りに短縮現地信号を生成して、電圧調整継電器５１１に送信して短縮制御を行う。
【０１１９】
具体的な動作については、プログラムコントローラ（１０Ｔ）５１０等の構造に基づいて説明する。
【０１２０】
図１６は、変電所のプログラムコントローラ（１０Ｔ）５１０等の、内部回路を説明する図である。
タイマースイッチである１〜４は、指定時刻に入り切りできるタイマーとなっており、目標電圧の変更用として利用される。すなわち目標電圧を時間帯により変化させる場合、この接点によりオートトランスのタップを換えて９０Ｒｙにかかる電圧を変更して目標電圧を変えている。なおこの説明については一般的な構成のため以下説明を省略する。新規に追加されたこのタイマーのスイッチは、目標電圧が変わるときに動作するため、併せてリレーＴ１〜Ｔ４も動作する。なお、１０Ｔ１〜１０Ｔ４は、ランプ回路用の補助リレーである。
【０１２１】
そして、Ｔ１〜Ｔ４のいずれかが動作することにより、ワンショット回路が動作し、電圧調整継電器の９０Ｒｙに短縮現地信号を送信する（図１７）。このときの短縮現地信号によりタップの制御遅れなく電圧を変更することができる。
【０１２２】
図１８は、ワンショット回路の動作を説明する図である。本実施形態においては、短縮制御パターンとして、調相設備の入り切り操作や電圧変動による上位変電所のタップ操作の前と後に短縮現地信号を送信することとしている。これにより、上下限エラーが発生しているような場合であっても、迅速に電圧の調整を行うことができる。
【０１２３】
常時はＡ１が復帰（ＯＦＦ）することでＸ１が動作し、Ｘ１のｂ接点によりＴタイマー（ＴＸ１）がＯＦＦとなる。
スタートは、１０Ｔの各段階スイッチのいずれかが入ることでＡ１が動作し、Ａ１が動作途中により常時励磁のＸ１が復帰する。
Ｘ１の復帰により動作保持のＴタイマー（ＴＸ１）を動作させ、Ｔタイマー（ＴＸ１）のａ接点により、９０Ｒｙの動作時間を短縮させる。
【０１２４】
Ａ１が動作終了後（ＯＮ）、Ｘ１が動作してＴタイマー（ＴＸ１）を復帰させることにより、Ａ１を除いてすべて元に戻ることになる。このＡ１の動きにより、Ｘ１が復帰動作をすることでワンショット回路を形成する。
Ｔタイマー（ＴＸ１）は、遅延復帰によりａ接点を保持しつづけて、短縮制御信号を継続させる。
【０１２５】
復帰については、１０Ｔの段階スイッチが切れることでＡ１が復帰しはじめ、Ａ１が動作途中により常時励磁のＸ１が復帰する。Ｘ１が復帰することで動作保持のＴタイマー（ＴＸ１）を動作させる。
これにより、Ｔタイマー（ＴＸ１）のａ接点により、９０Ｒｙの動作時間を短縮させる。
【０１２６】
Ａ１が動作完了後に、Ｘ１が動作し、Ｘ１のｂ接点によりＴタイマー（ＴＸ１）を復帰させることで、すべてが元に戻ることになる。なお、Ｔタイマー（ＴＸ１）の遅延復帰により、短縮現地信号は所定の時間において継続される。
【０１２７】
これらの短縮現地信号を受けた電圧調整継電器（９０Ｒｙ）５１１等は、動作時間タイマーや不感帯の変更を行う。
このサイクルにより、１０Ｔの段階スイッチ１〜４が入ると短縮現地信号を繰り返し出力する。
なお、調相設備の投入信号、または、遠隔監視制御装置（ＴＣ）の選択信号が入ることにより、Ａ５が動作してワンショット回路により短縮現地信号を出力する。
【０１２８】
図１９において、本実施形態のワンショット回路の動きをタイムチャートで示す。イベント（Ａ１）の前と後で短縮現地信号が出力されている。
【０１２９】
なお、ワンショット回路の短縮制御パターンを変更することで、調相設備の入り切り操作や電圧変動による上位変電所のタップ操作の前にのみ、短縮現地信号を送信するように設定することもできる。
【０１３０】
また、調相設備の入り切り操作や電圧変動による上位変電所の完了後に、遠隔監視制御装置（ＴＣ）Ａ３１等により上下限エラーを確認して、電圧が回復しない場合に短縮信号を再度送信するように設定することもできる。
【０１３１】
以上の通り、本発明の電圧調整システム１では、条件の設定を変更することで、各種の効果を奏することができる。
【図面の簡単な説明】
【０１３２】
【図１】本発明の第１の実施の形態にかかる電圧調整システム１における概略を示した図である。
【図２】目標電圧の変更時における電圧値の変動を、従来のシステムと本発明の第１の実施の形態にかかる電圧調整システム１を比較して示した図である。
【図３】調相設備の投入における電圧値の変動を、従来のシステムと本発明の第１の実施の形態にかかる電圧調整システム１を比較して示した図である。
【図４】本発明の第１の実施の形態にかかる電圧調整システム１を、電力系統に取り入れた場合の系統構成例を示す図である。
【図５】図４に示す系統構成例の基本構成を示した図である。
【図６】本発明の第１の実施の形態にかかる電圧調整システム１における機能ブロック図である。
【図７】本発明の第１の実施の形態にかかる電圧調整システム１における広域電圧制御時間変更装置８２の記憶部１３が保持する変動プログラムテーブル１３１の構成例である。
【図８】本発明の第１の実施の形態にかかる電圧調整システム１における広域電圧制御時間変更装置８２の記憶部１３が保持するイベントテーブル１３２の構成例である。
【図９】本発明の第１の実施の形態にかかる電圧調整システム１における広域電圧制御時間変更装置８２の記憶部１３が保持する管理テーブル１３３の構成例である。
【図１０】シャントリアクトル（ＳｈＲ）５１３の入り操作を行った場合に、制御なしの条件で電圧制御の推移を示した図である。
【図１１】本発明の第１の実施の形態にかかる電圧調整システム１により、シャントリアクトル（ＳｈＲ）５１３の入り操作を行った場合の電圧制御の推移を示した図である。
【図１２】上位系優先の電圧短縮制御の基本動作を説明するフロー図である。
【図１３】上位系の変電所Ａ５１においてタップの上下操作が行われた場合の動作を説明するフロー図である。
【図１４】変電所Ａ５１に付設するシャントリアクトル（ＳｈＲ）５１３の遮断操作または投入操作が行われた場合の動作を説明するフロー図である。
【図１５】本発明の第２の実施の形態にかかる電圧調整システム１における概略を示した図である。
【図１６】プログラムコントローラ（１０Ｔ）１０の、内部回路ついて説明する図である。
【図１７】プログラムコントローラ（１０Ｔ）１０とワンショット回路、電圧調整継電器（９０Ｒｙ）の関係を示した図である。
【図１８】ワンショット回路の動作を説明する図である。
【図１９】ワンショット回路の動きをタイムチャートで示した図である。
【図２０】ピーク時とオフピーク時における電力系統の目標電圧等を示したグラフである。
【符号の説明】
【０１３３】
１  電圧調整システム
２  通信回線
４  制御ケーブル
６  配電線
７  送電線
８  バス（ＢＵＳ）
１１  送受信部
１２  演算処理部
１３  記憶部
１４  入力部
１５  出力部
３１  遠隔監視制御装置（ＴＣ）Ａ
３２  遠隔監視制御装置（ＴＣ）Ｂ
３３  遠隔監視制御装置（ＴＣ）Ｃ
５１  変電所Ａ（上位系）
５２  変電所Ｂ（下位系）
５３  変電所Ｃ（下位系）
５４  変電所Ｄ（上位系）
７１  発電所Ａ（上位系）
７２  発電所Ｂ
８１  制御所ＭＰ
８２  広域電圧制御時間変更装置
１２１  送受信処理手段
１２２  入出力処理手段
１２３  電圧変動情報取得手段
１２４  機器動作情報取得手段
１２５  短縮信号送信手段
１２６  電圧判定手段
１３１  変動プログラムテーブル
１３２  イベントテーブル
１３３  管理テーブル
５１０，５２０，５３０，  プログラムコントローラ（１０Ｔ）
５１１，５２１，５３１  電圧調整継電器
５１２，５２２，５３２  ワンショット回路
５１３  シャントリアクトル（ＳｈＲ）
５１４  コンデンサ（ＳＣ）
５１５  操作機構部
５１６  負荷時タップ切換機
【図１】
0004948432.tif 000002
【図２】
0004948432.tif 000003
【図３】
0004948432.tif 000004
【図４】
0004948432.tif 000005
【図５】
0004948432.tif 000006
【図６】
0004948432.tif 000007
【図７】
0004948432.tif 000008
【図８】
0004948432.tif 000009
【図９】
0004948432.tif 000010
【図１０】
0004948432.tif 000011
【図１１】
0004948432.tif 000012
【図１２】
0004948432.tif 000013
【図１３】
0004948432.tif 000014
【図１４】
0004948432.tif 000015
【図１５】
0004948432.tif 000016
【図１６】
0004948432.tif 000017
【図１７】
0004948432.tif 000018
【図１８】
0004948432.tif 000019
【図１９】
0004948432.tif 000020
【図２０】
0004948432.tif 000021